(57)【要約】【課題】 ネックレスやチェーン、さらにはスカーフなどの装身具本体を束ねたり長さを調節したりするのを簡単に行うこと。【解決手段】 この装身具用止め具１は、装飾部材２と、この装飾部材２の裏面に取り付けられた第１の係合部材となる止め部材と、第１の係合部材と係合する第２の係合部材となるキャッチャ４とを有する。そして、装飾部材２の裏面に設けられたＣ字型の開口部とキャッチャ４とが協働して装身具本体１０を束ねる機能を有している。【選択図】  図４
0003106343.tif 000002
【実用新案登録請求の範囲】
【請求項１】
装飾部材と、この装飾部材の裏面に設けられた第１の係合部材と、上記第１の係合部材と係合する第２の係合部材と、を有する装身具用止め具において、上記装飾部材の裏面に設けられたＣ字型の開口部と上記第２の係合部材とが協働して装身具本体を束ねる機能を有することを特徴とする装身具用止め具。
【請求項２】
前記装身具本体をネックレスとしたことを特徴とする請求項１記載の装身具用止め具。
【請求項３】
前記第２の係合部材は、前記第１の係合部材に対し相対可動することで、前記Ｃ字型の開口部を閉塞可能とする相対可動部材で構成されていることを特徴とする請求項１記載の装身具用止め具。
【請求項４】
装飾部材と、この装飾部材の裏面に設けられた第１の係合部材と、上記第１の係合部材と係合する第２の係合部材と、を有する装身具用止め具と、装身具本体と、を備える装身具において、上記装飾部材の裏面に設けられたＣ字型の開口部と上記第２の係合部材とが協働して上記装身具本体を束ねる機能を有することを特徴とする装身具。
【請求項５】
前記装身具用止め具によって前記装身具本体が２つの輪を形成可能な状態とされたことを特徴とする請求項４記載の装身具。
【考案の詳細な説明】
【技術分野】
【０００１】
本考案は、装身具用止め具および装身具に関し、特に、ネックレスやスカーフなどの長めの装身具の長さや束ね位置を自由に調節可能とする装身具用止め具および装身具に関する。
【背景技術】
【０００２】
最近、ファッションの個性化により、その時の気分や身につける服などによって、たとえば、長尺のネックレスを身につける場合、首から下に垂れ下がる部分の長さを調節するために途中で１つに束ねて用いるなど、様々な使い方がなされている。これは、ネックレスだけではなく、スカーフやネクタイなどでも、種々の装身具を使用することで、このような使い方（たとえば途中で束ねるなどの使い方）がなされている。
【０００３】
このように、ネックレスやスカーフなどの装身具の長さや首にかける部分となる輪の大きさを調節するような場合、途中で束ねることが普通に行われるが、このような場合、何らかの止め具を用いて行うのが一般的である。
【０００４】
また、ネックレスなどを１つに束ねる技術に関するものとしては、たとえば、特許文献１に記載の技術がある。これは、ネックレスのそれぞれの端部付近に、マグネットを格納した飾部材を止め具として取り付け、これら飾部材を重ねることによりマグネットの吸着力でネックレスを端部付近で束ねることができるようにしたものである。
【特許文献１】特開平１０−５２３０３号公報（要約）
【考案の開示】
【考案が解決しようとする課題】
【０００５】
従来、長さを調節可能な止め具として一般的に用いられるものとしては、身近にあるピンやクリップなどが多く用いられている。しかし、これらの止め具を利用した場合、確実な止め状態が得られなかったり、装身具としての見栄えが良くないことが多い。
【０００６】
また、特開平１０−５２３０３号公報に記載されている止め具は、そのネックレスの着脱を容易にするためにそのネックレスに予め取り付けておくもので、そのネックレス専用の止め具にしかすぎず、他の装身具にもそれを用いるということはできない。
【０００７】
そこで、本考案は、上述の問題点を解決するためになされたものであり、ネックレス、チェーン、スカーフなど多種の装身具に着脱自在に取り付け可能として、これら装身具本体の長さや輪の大きさなどを自由に変えるための止め具として機能させると共に、それ自体がペンダントやブローチなどの装身具としとの機能を果たし得る装身具用止め具および装身具を提供することを目的とする。
【課題を解決するための手段】
【０００８】
上述の目的を達成するために、本考案は、装飾部材と、この装飾部材の裏面に設けられた第１の係合部材と、第１の係合部材と係合する第２の係合部材と、を有する装身具用止め具において、装飾部材の裏面に設けられたＣ字型の開口部と第２の係合部材とが協働して装身具本体を束ねる機能を有する構成としている。
【０００９】
この装身具用止め具によれば、Ｃ字型をなす開口部にネックレスなどの紐を通して第２の係合部材を係合させるだけの簡単な操作で、装身具本体を束ねて２重にしたり長さを調節したりするのを簡単に行うことができる。しかも、その束ね位置は、任意の位置とすることができるので、様々な用途に用いることができる。
【００１０】
また、装身具用止め具そのものが装飾部材であるため、取付を工夫することによって、ブローチやペンダントなどの装身具として使用することもできる。この際、開口部を装身具止め具自体の回り止めとして機能させることもでき、装身具としての使用価値も高まる。
【００１１】
また、装身具本体をネックレスとするのが好ましい。こうすると、ネックレスの使用価値が高まると共に、使用形態が拡がることとなる。
【００１２】
また、第２の係合部材は、第１の係合部材に対し相対可動することで、Ｃ字型の開口部を閉塞可能とする相対可動部材で構成するのが好ましい。
【００１３】
このように構成すると、Ｃ字型の開口部にネックレスなどの紐を配置したあと、簡単な動作によってその紐が外れるのを防止することができ、確実な束ね状態を得ることができる。
【００１４】
また、他の考案の装身具は、装飾部材と、この装飾部材の裏面に設けられた第１の係合部材と、第１の係合部材と係合する第２の係合部材と、を有する装身具用止め具と、装身具本体と、を備える装身具において、装飾部材の裏面に設けられたＣ字型の開口部と第２の係合部材とが協働して装身具本体を束ねる機能を有する構成としている。
【００１５】
この装身具によれば、Ｃ字型をなす開口部にネックレスなどの紐を通して第２の係合部材を係合させるだけの簡単な操作で、装身具本体を束ねて２重にしたり長さを調節したりするのを簡単に行うことができる。しかも、その束ね位置は、任意の位置とすることができるので、様々な用途に用いることができる。これによって、スカーフなど布製品を束ねて２重にしたり長さを調節したりするのに好適なものとなる。
【００１６】
また、装身具用止め具そのものが装飾部材でもあるため、装身具用止め具をブローチやペンダントなどの装身具として使用することもできる。この際、開口部を装身具用止め具自体の回り止めとして機能させることもでき、装身具としての使用価値も高めることができる。
【００１７】
なお、装身具は、装身具用止め具によって、装身具本体が２つの輪を形成可能な状態とされるのが好ましい。
【００１８】
これによって、一方の輪に首を入れたり上半身を入れたりした後、適切な輪の大きさとすることができ、チャーミングな装身具とすることができる。
【考案の効果】
【００１９】
本考案によれば、装身具本体の長さや輪の大きさなどを自由に変えることができると共に、取付を工夫することによってそれ自体に装身具としての機能を持たすことができる装身具用止め具となる。また、他の考案によれば、長さや輪の大きさなどを自由に変えることができる装身具となる。
【考案を実施するための最良の形態】
【００２０】
以下、本考案の実施の形態について説明する。まず、第１の実施の形態を図１から図４を参照しながら説明する。
【００２１】
図１は、本考案の装身具用止め具の第１の実施の形態を説明する図である。この装身具用止め具１は、たとえば、真珠のネックレスなどを束ねる場合に好適なものであるとともに、この装身具用止め具１そのものが、たとえば、ブローチ、ペンダント、ピンバッチなどの装身具を兼ねることができるようになっている。
【００２２】
したがって、この装身具用止め具１は、ブローチ、ペンダント、ピンバッチなどとしての外観をなす装飾部材２を有している。そして、装身具用止め具１は、この装飾部材２と、装飾部材２の裏面側に配置される第１の係合部材となる止め部材３と、この止め部材３に係合する第２の係合部材となるキャッチャ４とで構成される。止め部材３は、キャッチャ４と協働することで、ネックレスなどの装身具本体を束ねることを可能としている。
【００２３】
この止め部材３は、装飾部材２の裏面の中央位置に取り付けられた針状のピン３１と、このピン３１の付け根を中心として左右対称に形成された板状でかつＣ字型をなす金属部材で形成された一対の湾曲片３２，３３とが一体化された一体成形品で、装飾部材２にロウ付けなどによって固定されている。なお、一対の湾曲片３２，３３は、両者の湾曲開口部が対向するような形状となっており、これら１対の湾曲片３２，３３が一体成形されてなるものである。なお、これら１対の湾曲片３２，３３とピン３１を別々に装飾部材２に固定する構成としてもよい。
【００２４】
また、ここで用いる、ピン３１と、このピン３１に対し相対可動するキャッチャ４との係合機構は、本考案特有のものではなく、従来から用いられている係合機構をそのまま利用することができる。たとえば、ここで用いる係合機構としては、相対可動部材となるキャッチャ４側に設けられたピン挿入孔４ａに、ピン３１が挿入されると、その挿入された任意の位置で摩擦係合し、そのままではピン３１とキャッチャ４とを引き離すことのできない機構が採用されている。
【００２５】
このような、係合機構であれば、ピン３１のキャッチャ４に対する挿入の度合いは任意とすることができる。なお、ピン３１とキャッチャ４とを引き離すには、たとえば、キャッチャ４側に突設された解除レバー（図示せず）などを押し込むことにより係合状態が解除され、それによってピン３１とキャッチャ４の引き離しが可能となるような解除機構（図示せず）も設けられている。
【００２６】
このように、ピン３１とキャッチャ４は、従来から用いられている係合機構をそのまま利用することができるが、その外形はこの実施の形態に適するようなものとする。
【００２７】
たとえば、この装身具用止め具１を用いる装身具本体が真珠のネックレスであるとすれば、キャッチャ４の円板状のつまみ部４１は、湾曲片３２の先端部３２ａと湾曲片３３の先端部３３ａとの間に形成される間隙部ｄを塞ぐことのできる径ｗを有するものとするのが好ましい。しかも、そのつまみ部４１からキャッチャ４の先端部４２に向かう突出部分４３は、この場合、徐々に細くなるような円錐形状となっている。そして、図２に示すように、このキャッチャ４の先端部４２をピン３１の付け根近くまで挿入したときに、その突出部分４３と湾曲片３２，３３との間には所定の大きさの空間部３５，３６が形成される。
【００２８】
なお、これら空間部３５，３６は、この装身具用止め具１を、真珠のネックレスを束ねる用途として用いる場合、真珠が通過できないような大きさとしている。ただし、この装身具用止め具１は、真珠の大きさが異なる他のネックレスにも使用できるものであり、また、真珠以外のネックレスにも使用できるものとするため、その空間部３５，３６の大きさは、これらの点を考慮して最適な大きさに設定される。
【００２９】
図４は、この装身具用止め具１を用いて装身具本体となる真珠のネックレス１０（以下では単にネックレス１０という）をある一箇所で束ねた様子を示すものである。なお、この図４は、装身具用止め具１をキャッチャ４側から見た図として描かれている。
【００３０】
このネックレス１０は、細紐１１と、この細紐１１が挿通した多数の真珠１２と、細紐１１のそれぞれの端部に取り付けられたネックレス止め金具１３とからなっている。そして、この図４に示すように、このようなネックレス１０の中途部が装身具用止め具１によって束ねられている。
【００３１】
次に、このような構造を有した装身具用止め具１を用いて、たとえば、ネックレス１０を図４のように束ねる場合の動作、作用について説明する。
【００３２】
まず、装身具用止め具１のキャッチャ４をピン３１から外した状態とする。そして、図４において、ネックレス１０の束ね部分に注目したときの図示左側に位置する細紐（１１Ｌの符号を付す）を図１に示す湾曲片３２側の空間部３５に入れるとともに、その束ね部分に注目したときの図示右側に位置する細紐（１１Ｒの符号を付す）を図１に示す湾曲片３３側の空間部３６に入れる。
【００３３】
これによって、湾曲片３２の前後には細紐１１Ｌに取り付けられた真珠（１２Ｌ１，１２Ｌ２の符号を付す）が位置し、湾曲片３３の前後には細紐１１Ｒに取り付けられた真珠（１２Ｒ１，１２Ｒ２の符号を付す）が位置する。この状態で、キャッチャ４のピン挿入孔４ａにピン３１を挿入させて、その先端部４２がピン３１の付け根にほぼ達するまで押し込む。
【００３４】
これにより、ネックレス１０は、図４に示すように、所定の位置で束ねられることとなる。また、装身具用止め具１自体は、図２や図３に示す状態となる。この状態では、真珠１２Ｌ１，１２Ｌ２は、湾曲片３２とキャッチャ４の突出部分４３との間に形成される空間部３５を通過することができず、また、真珠１２Ｒ１，１２Ｒ２は、湾曲片３３とキャッチャ４の突出部分４３との間に形成される空間部３６を通過することができない。
【００３５】
さらに、キャッチャ４のつまみ部４１によって、湾曲片３２，３３の先端部３２ａ，３３ａ間の間隙部ｄ（図１参照）が塞がれ、図２のような状態となっているので、細紐１１がその間隙部ｄから外れることもないので、確実な束ね状態を保持することができる。
【００３６】
なお、この装身具用止め具１を用いて束ねを行う際、その束ね位置は、任意の位置とすることができることは勿論である。また、束ねる対象も、この図４に示すようなネックレス１０に限られるものではない。
【００３７】
たとえば、装身具用止め具１を、スカーフなどの布製品等の柔らかい部材を束ねる場合にも使用することができる。このように、布製品等を束ねる場合、ピン３１とキャッチャ４だけでは、ピン３１とキャッチャ４とが係合した状態で、ピン３１がキャッチャ４に対して回転してしまう。このため、装飾部材２自体も回転しまい、その向きが上下逆さまになったりして、位置が定まらないという不具合が生ずるが、この実施の形態においては、湾曲片３２，３３が存在するため、このような不具合が生じない。すなわち、湾曲片３２，３３がこの布製品の押さえと、装身具用止め具１の回り止めの役目を果たすこととなり、そのような不具合が生じることはなく、装飾部材２を常に定まった向きに保持させることができるという効果も得られる。
【００３８】
また、この第１の実施の形態で用いた装身具用止め具１は、図４に示したように、ネックレス１０を束ねるために使用されるが、この使用方法以外に、装身具用止め具１単体でもブローチやペンダントなどの装身具として使用することができる。この場合、ピン３１を衣服などに刺して貫通させて、衣服の裏側に突出したピン３１にキャッチャ４を係合させることでブローチやペンダントとしての機能も果たすことができる。
【００３９】
このように、衣服に着けてブローチやペンダントとする際も、上述したように、湾曲片３２，３３が押さえや回り止めの役目を果たすので、装飾部材２が回転してしまい向きが逆さまになるといった不具合が生じることはなくなる。また、この装身具用止め具１をそのままブローチやペンダントとして衣服などに着ける場合、湾曲片３２，３３が存在するので、衣服などに対してある高さを有し出っ張りを持った状態で取り付けられることとなり、立体感が得られる効果もある。
【００４０】
次に、本考案の第２の実施の形態について、図５から図９を参照しながら説明する。この第２の実施の形態における装身具用止め具１Ａは、止め部材とキャッチャが第１の実施の形態と異なっている。なお、この第２の実施の形態においては、止め部材には符号５を付し、キャッチャには符号４５を付す。
【００４１】
この第２の実施の形態における止め部材５は、図５および図６に示されるように、装飾部材２の裏面の中央位置にロウ付けなどによって取り付けられた針状のピン５１と、このピン５１の付け根を中心として左右対称に湾曲片５２，５３が形成される薄板の弾性片５４とで構成されている。
【００４２】
湾曲片５２，５３は、渦巻き状に弧を描くような形状となっており、それによって円形の空間部５２ａ，５３ａが形成される。また、この湾曲片５２，５３のそれそれの先端部５２ｂ，５３ｂと弾性片５４との間には開口部５６，５７が形成されるようになっている。
【００４３】
これら湾曲片５２，５３は、キャッチャ４５で押さえつけられたときに、これら湾曲片５２，５３で形成される渦巻き部の径を広げるような弾性力を有している。湾曲片５２，５３の弾性力は、キャッチャ４５をピン５１に係合させ湾曲片５２，５３を押さえることによって発生するようになっている。
【００４４】
なお、キャッチャ４５がピン５１に係合されない状態（図５および図６の状態）、つまり、キャッチャ４５によって湾曲片５２，５３が押さえられない状態では、湾曲片５２，５３は渦巻き部の径が最大限広げられている。このとき、図５に示すように、ピン５１の側面周面に所定間隔で形成された、それぞれ１周に渡る複数対の凹部（ここでは３対の凹部５８ａ，５８ｂ，５８ｃとする）のいずれかに湾曲片５２，５３の先端側の一部が係合した状態となる。この図５では、凹部５８ｂに湾曲片５２，５３の先端側の一部が係合した状態となっている。ただし、湾曲片５２，５３の先端側の一部とピン５１の接触によってその間に摩擦力が発生しているため、渦巻き部の径の拡張力はその摩擦力によってある程度抑えられている。
【００４５】
また、これら複数対の凹部５８ａ，５８ｂ，５８ｃは、キャッチャ４５とピン５１の係合機構としても用いられる。すなわち、ピン５１が挿入されるキャッチャ４５のピン挿入孔４５ａには、これらピン５１側に設けられた凹部５８ａ，５８ｂ，５８ｃのいずれかに係合するような一対の凸部４５ｂが設けられ、この凸部４５ｂがピン５１側に設けられた凹部５８ａ，５８ｂ，５８ｃのいずれかに係合することで両者の係合がなされるようになっている。
【００４６】
図７および図８は、ピン５１にキャッチャ４５を係合させた様子を示すもので、図７の状態は、ピン５１へのキャッチャ４５の挿入度合いを小さくした場合を示している。つまり、この図７では、ピン５１に形成された凹部５８ｃにキャッチャ４５側に設けられた凸部４５ｂが係合している状態であり、この場合は、キャッチャ４５による湾曲片５２，５３に対する押圧力が弱いので、湾曲片５２，５３はその径が大きくなっている。そして、この図７では、湾曲片５２，５３が凹部５８ｂに係合している。
【００４７】
一方、図８の状態は、ピン５１へのキャッチャ４５の挿入度合いを大きくした場合、つまり、この図８では、ピン５１に形成された凹部５８ｂに、キャッチャ４５側に設けられた凸部４５ｂが係合している状態である。この場合は、キャッチャ４５の湾曲片５２，５３に対する押圧力が強いので、湾曲片５２，５３で形成される渦巻き部の径が小さくなる。この結果、図８に示すように、湾曲片５２，５３は凹部５８ａに係合することとなる。
【００４８】
このような構造を有した装身具用止め具１Ａを用いて、たとえば、多数の輪片６０ａが連結しているようなチェーン６０を、図９のように、ある１箇所で束ねる場合について説明する。なお、この図９は、装身具用止め具１Ａをキャッチャ４５側から見た図として描かれている。
【００４９】
まず、装身具用止め具１Ａのキャッチャ４５を、ピン５１から外した状態で、湾曲片５２により形成される空間部５２ａ内に、その束ね部分のチェーン６０を入れるとともに、湾曲片５３により形成される空間部５３ａ内には、その束ね部分のチェーン６０を入れる。
【００５０】
このように、それぞれの湾曲片５２，５３により形成される空間部５２ａ，５３ａ内にチェーン６０を入れる際は、まず、チェーン６０をピン５１の先端側からその側面に沿って湾曲片５２，５３とピン５１との係合部分を通過させる。その後、湾曲片５２，５３のそれぞれの先端部５２ｂ，５３ｂと弾性片５４の装飾部材２への固定部分との間に形成される開口部５６，５７を通過させることにより空間部５２ａ，５３ａにチェーン６０を入れることができる。
【００５１】
すなわち、湾曲片５２，５３がその弾性力でピン５１の凹部（たとえば凹部５８ｂ）に係合しているので、チェーン６０をピン５１の側面に沿うように押し込めば容易にそれぞれの空間部５２ａ，５３ａに入れることができる。なお、この空間部５２ａ，５３ａの大きさは、チェーン６０を形成するそれぞれの輪片６０ａが通過できない径としておけば、その束ね位置がずれることはない。
【００５２】
また、このようなチェーン６０を束ねる際は、チェーン６０を湾曲片５２，５３に形成される空間部５２ａ，５３ａを通さないようにしても良い。すなわち、キャッチャ４５の端面４５ｃ（図５参照）と湾曲片５２，５３のキャッチャ４５に対向する部分との間にチェーン６０を介在させて、キャッチャ４５と湾曲片５２，５３でチェーン６０を押さえるようにしても良い。このような束ね方をしても、湾曲片５２，５３の弾性力によってチェーン６０が押さえられるので、確実な束ね状態を得ることができる。
【００５３】
また、他の方法としては、湾曲片５２，５３をそれぞれ拡げ、その空間部５２ａ，５３ａを大きくすることで、その空間部５２ａ，５３ａを輪片６０ａが通過できるようにしても良い。そして、所定数の輪片６０ａが通過した段階で、その湾曲片５２，５３の拡開状態を元に戻すことで、所定の位置でチェーン６０を束ねることができる。
【００５４】
なお、この束ね位置は、第１の実施の形態同様、任意の位置とすることができることは勿論である。また、束ねる対象も、この図９に示すようなチェーン６０に限られるものではなく、たとえば、スカーフやネクタイなどの布製品等の柔らかい部材を束ねる場合にも使用することができる。布製品等を束ねる場合、前述の第１の実施の形態と同様、湾曲片５２，５３が押さえの役目を果たすので、装飾部材２を常に定まった向きに保持させることができるという効果も得られる。
【００５５】
また、この第２の実施の形態で用いた装身具用止め具１Ａも、第１の実施の形態同様、装身具用止め具１Ａ単体でもブローチやペンダントなどの装身具として使用することができる。この場合、ピン５１を衣服などに刺して貫通させて、衣服などの裏側に突出したピン５１にキャッチャ４５を係合させることで、ブローチやペンダント等としての機能も果たすことができる。
【００５６】
このように、衣服に着けてブローチやペンダントなどとする際、上述したように、湾曲片５２，５３が押さえや回り止めの役目を果たすので、装飾部材２が回転してしまい、その向きが上下逆さまになるといった不具合が生じることはなくなる。また、この装身具用止め具１Ａをそのままブローチやペンダントなどとして衣服などに着ける場合、第１の実施の形態同様、湾曲部５２，５３が存在するので、衣服などに対してある高さが得られ、出っ張りを有するので立体感が得られる効果もある。
【００５７】
ところで、前述した第１の実施の形態において用いたピン３１とそれに係合するキャッチャ４（図１、図２等参照）は、ピン３１に凹部などがなく、任意の位置でキャッチャ４とピン３１との係合が可能な係合機構を有するものとして説明したが、装身具用止め具１のピン３１に凹部を設ける等して、この第２の実施の形態で示すようなピン５１とキャッチャ４５のような係合機構を採用するようにしてもよい。また、逆に、第２の実施の形態においては、ピン５１に凹部５８ａ，５８ｂ，５８ｃを設けないようにすることで、第１の実施の形態で用いたような係合機構を採用してもよい。
【００５８】
次に、図１０および図１１を参照しながら、本考案の第３の実施の形態を説明する。
【００５９】
この第３の実施の形態の装身具用止め具１Ｂは、その止め部材（この止め部材に７の符号を付す）としては、装飾部材２の裏面に設けられた針状のピン７１と、このピン７１に係合すると共に、装飾部材２とキャッチャ７２との間に介在される押さえ部材７３とから構成される。
【００６０】
この押さえ部材７３は、シリコンゴムなどでなり、図１１に示すように、中心部にピン７１を通過させるための孔７３ａを有する台座部７４と、この台座部７４の上端部に左右方向に突出形成された１対の翼部７５，７６とから構成される。この翼部７５，７６は、弾性を有し、その先端部付近にはピン７１を通すことが可能な孔７５ａ，７６ａが設けられている。そして、この翼部７５，７６をそれぞれが弧を描くように湾曲させて、両者の孔７５ａ，７６ａが重なるようにする。
【００６１】
このような状態でピン７１を孔７５ａ，７６ａに通し、さらに、台座部７４に設けられた孔７３ａに通すことによって、図１０のような装身具用止め具１Ｂとすることができる。この押さえ部材７３は、ピン７１に対して着脱が可能となっている。
【００６２】
なお、ここで用いるピン７１とキャッチャ７２の係合機構は、第２の実施の形態と同様に、ピン７１側に設けられた凹部７１ａ，７１ｂ，７１ｃのいずれかに係合するような凸部７２ｂがキャッチャ７２のピン挿入孔７２ａに設けられ、この凸部７２ｂがピン７１側に設けられた凹部７１ａ，７１ｂ，７１ｃのいずれかに係合することで両者の係合がなされるようになっている。このピン７１とキャッチャ７２の係合機構は、これに限らず、第１の実施の形態で説明した係合機構であってもよい。
【００６３】
この図１０に示すような装身具用止め具１Ｂは、押さえ部材７３の翼部７５，７６を湾曲させて湾曲部７７，７８が形成されたものとなり、それによって、空間部７９，８０が形成される。この空間部７９，８０は、翼部７５，７６に弾力性があることから、ピン７１へのキャッチャ７２の挿入度合いによって、その形状が変化する。
【００６４】
たとえば、ピン７１へのキャッチャ７２の挿入度合いを小さくした状態では、空間部７９，８０は、図１０に示すように、それぞれが半円に近い形状をなすが、ピン７１へのキャッチャ７２の挿入度合いを大きくすれば、空間部７９，８０は扁平状となり、ピン７１へのキャッチャ７２の挿入度合いをさらに大きくすれば、扁平度がより強まって隙間がなくなる状態になる。
【００６５】
したがって、細い鎖や扁平な装身具などを束ねる場合には、ピン７１へのキャッチャ７２の挿入度合いを大きくすれば、空間部７９，８０は、より扁平度が高い状態となるので、細い鎖等も押さえつけることができ、確実な束ね状態を得ることができる。このように、この第３の実施の形態の装身具用止め具１Ｂは、束ねる対象となる装身具に応じた空間をより一層形成しやすくなり、より多様な使い方ができる。
【００６６】
また、押さえ部材７３の材質がシリコンゴムであるので、装身具や装身具を構成する連結紐（真珠ネックレス等の紐）を損傷させにくいという効果も得られる。特に、連結紐が絹糸のように切れ易いものの保護の面で、この押さえ部材７３は有利となる。さらに、前述の第１および第２の実施の形態同様、この装身具用止め具１Ｂ単体でもブローチやペンダントなどとしても利用できる。なお、この場合、押さえ部材７３は、ピン７１に対して着脱可能であるので、押さえ部材７３が無い方がよい場合は、それを簡単に取り外すこともできる。
【００６７】
また、一般的に用いられているブローチやペンダント（ただし、ピンとキャッチャを有するもの）に対して、この押さえ部材７３を取り付けることもできるので、自分の好みのブローチなどの装身具を、装身具用止め具１Ｂとして使用する（機能させる）ことも可能となる。
【００６８】
なお、本考案は以上説明した各実施の形態に限定されるものではなく、本考案の要旨を逸脱しない範囲で種々変形実施可能となるものである。たとえば、上述した各実施の形態においては、キャッチャを含めて装身具用止め具としているが、キャッチャは種々のものを別途購入したり選択できる場合もあり、この明細書では、キャッチャを除いたものをも装身具用止め具に含めるものとする。また、ピンとキャッチャの係合機構は、一例であって、他の係合機構を採用したものでもよい。なお、ピンは金属部材とするのが好ましいが、キャッチャは金属部材、合成樹脂製のいずれとしても良い。
【００６９】
また、ピン３１，５１，７１に設けられる凹部は、複数でなく１つとしても良い。また、その凹部は、ピン３１，５１，７１の周面１周に渡って設けられるものではなく、湾曲片５２，５３に対向する部分のみに設けたり、間隔をあけて周囲４カ所に設けたりしても良い。
【００７０】
さらに、押さえ部材７３を装飾部材２またはピン７１に固定したり、キャッチャ７２に固定しても良い。前者の場合は、図１０に示す状態で、孔７５ａ，７６ａの周辺部分をピン７１や装飾部材２に接着剤などで固定することとなる。後者の場合は、台座７４の図１０における下端を、キャッチャ７２の図１０における上端部分に接着等で固定することとなる。
【００７１】
また、各装身具用止め具１，１Ａ，１Ｂは、それぞれ、それ自身が装身具として使用されるものとされているが、装身具用止め具１，１Ａ，１Ｂ自体は、装身具として使用しないものとしたり、他の装飾品を結合させることで装身具として使用できることとなる物、たとえば台座等としても良い。さらに、販売に当たっては、装飾部材２と止め部材３，５とが一体化されたものと、キャッチャ４，４５とを別々に複数種類用意し、顧客がそれらの組み合わせを選択して購入できるようにしても良い。この際、第３の実施の形態の場合、押さえ部材７３も別に用意し、３つの部材を選択して組み合わせる方式で購入できるようにしても良い。
【図面の簡単な説明】
【００７２】
【図１】本考案の装身具用止め具の第１の実施の形態を説明する分解図である。
【図２】図１におけるキャッチャをピンに係合させた状態を示す図である。
【図３】図２に示す装身具用止め具を図２の矢示Ａ方向から見た図である。
【図４】図１に示す第１の実施の形態による装身具用止め具を用いて真珠のネックレスをその中途部で束ねた様子を示す図である。
【図５】本考案の装身具用止め具の第２の実施の形態を説明する分解図である。
【図６】図５に示す装身具用止め具を図５の矢示Ｂ方向から見た図である。
【図７】図５におけるキャッチャをピンに係合させた状態を示す図であり、ピンへのキャッチャの挿入度合いが小さい場合を示す図である。
【図８】図５におけるキャッチャをピンに係合させた状態を示す図であり、ピンへのキャッチャの挿入度合いが大きい場合を示す図である。
【図９】図５に示す第２の実施の形態による装身具用止め具を用いてチェーンをその中途部で束ねた様子を示す図である。
【図１０】本考案の装身具用止め具の第３の実施の形態を説明する分解図で、その一部（押さえ部材の部分）を断面で示し、他の部分を断面で示さないようにした図である。
【図１１】図１０に示す第３の実施の形態の装身具用止め具に用いられている押さえ部材の斜視図である。
【符号の説明】
【００７３】
１，１Ａ，１Ｂ 装身具用止め具
２ 装飾部材
３，５，７ 止め部材（第１の係合部材）
３１，５１，７１ ピン
３２，３３，５２，５３ 湾曲片
４，４５，７２ キャッチャ（第２の係合部材、相対可動部材）
４１ つまみ部
７３ 押さえ部材
７７，７８ 湾曲部
ｄ 間隙部
【図１】
0003106343.tif 000003
【図２】
0003106343.tif 000004
【図３】
0003106343.tif 000005
【図４】
0003106343.tif 000006
【図５】
0003106343.tif 000007
【図６】
0003106343.tif 000008
【図７】
0003106343.tif 000009
【図８】
0003106343.tif 000010
【図９】
0003106343.tif 000011
【図１０】
0003106343.tif 000012
【図１１】
0003106343.tif 000013